【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
主としてシューズのためのミッドソール（１０）であって、足底状の周辺形状を有する上面（１２）を備えるボディ（１１）によって構成され、前記ボディ（１１）の下面（１４）から弾性的に圧縮可能な第１及び第２の複数の突起（１５，１６）が下方に突出し、前記第１及び第２の複数の突起のそれぞれが軸方向の空洞（１７ａ，１７ｂ）を有することを特徴とする、ミッドソール。
【請求項２】
前記ミッドソールは、単一の部品又は複数の要素で提供され、弾性の特徴を有する前記ボディ（１１）は、前記シューズの使用中、前記ボディ（１１）が原形状へ戻ることを容易にするため適合され、又、（０．１５〜１．２０）ｇ／ｃｍ３の間に含まれる密度を有し、ショアＡ硬さで（１５〜６０）の間に含まれる硬度を有することを特徴とする、請求項１に記載のミッドソール。
【請求項３】
前記第１及び第２の複数の突起（１５，１６）は、前記ボディ（１１）の下面（１４）の全体にあり、実質的に円錐台状又はピラミッド状及び／又は円筒形を有する。前記第１の複数の突起（１５）及び前記第２の複数の突起（１６）は、前記ボディ（１１）の下面（１４）の全体にあり、実質的に円錐台状又はピラミッド状及び／又は円筒形であることを特徴とする、請求項１に記載のミッドソール。
【請求項４】
前記第１の複数の突起（１５）は円錐台状であり、前記第２の複数の突起（１６）は円筒形を有することを特徴とする、請求項１又は２に記載のミッドソール。
【請求項５】
前記第１及び２の複数の突起（１５，１６）は弾性的に圧縮可能であり、第１の軸方向の空洞（１７ａ）及び第２の軸方向の空洞（１７ｂ）のそれぞれを有し、どちらも前記ミッドソール（１０）の全体の高さ又は厚さに影響を与えることを特徴とする、請求項１から４のいずれか１項に記載のミッドソール。
【請求項６】
前記ミッドソール（１０）の前記上面（１２）には第１の孔（１８ａ，１８ｂ）が、前記第１の複数の突起（１５）及び前記第２の複数の突起（１６）のそれぞれに存在することを特徴とする、請求項１から５のいずれか１項に記載のミッドソール。
【請求項７】
前記第１の複数の突起（１５）の前記第１の孔（１８ａ）のそれぞれは、前記第１の軸方向の貫通した空洞（１７ａ）に接続され、前記第１の軸方向の貫通した空洞（１７ａ）は、前記第１の複数の突起（１５）のそれぞれの第１の先端（１９ａ）において第２の孔（２０ａ）で終端することを特徴とする、請求項６に記載のミッドソール。
【請求項８】
前記第２の複数の突起（１６）の前記第１の孔（１８ｂ）のそれぞれは、前記第１の軸方向の貫通した空洞（１７ｂ）に接続され、前記第１の軸方向の貫通した空洞（１７ｂ）は、前記第２の複数の突起（１６）のそれぞれの第２の先端（１９ｂ）において第２の孔（２０ｂ）で終端することを特徴とする、請求項６又は７に記載のミッドソール。
【請求項９】
前記複数の第１の孔（１８ａ）は、前記第２の孔（２０ａ）の直径よりも大きい直径を有することを特徴とする、請求項７又は８に記載のミッドソール。
【請求項１０】
前記第１の孔（１８ａ，１８ｂ）のそれぞれは、１ｍｍから１０ｍｍの間に含まれる直径を有し、対応する第１の突起（１５）又は第２の突起（１６）が配置された前記ミッドソール（１０）の所望する領域に位置され、前記第２の孔（２０ａ，２０ｂ）のそれぞれは実質的に２ｍｍの直径を有していることを特徴とする、請求項６から９のいずれか１項に記載のミッドソール。
【請求項１１】
より大きな直径の前記第１の孔（１８ａ）を有し、前記下面（１４）に対してより突出が大きい前記第１の突起（１５）が、ヒール領域（２１）及びフォアフット領域（２９）に配置され、前記第１及び第２の突起（１５，１６）の前記第１及び第２の先端（１９ａ，１９ｂ）は、理想的な曲面上に位置することを特徴とする、請求項６から１０のいずれか１項に記載のミッドソール。
【請求項１２】
それぞれの前記第１の複数の突起（１５）の側面には、前記ミッドソール（１０）の前記上面（１２）の方向に直径が増加する一連の同心円状の溝があり、前記溝により、前記第１の複数の突起（１５）を階段状のピラミッドの形状にしていることを特徴とする、請求項１から１１のいずれか１項に記載のミッドソール。
【請求項１３】
前記第１及び第２の複数の突起（１５，１６）のそれぞれは、一端が開放され、他端が閉鎖されていることを特徴とする、請求項１から１２のいずれか１項に記載のミッドソール。
【請求項１４】
前記第１の複数の突起における前記第１の孔（２０ａ）のそれぞれは、第１の軸方向の閉じた空洞（１７ａ）に接続され、前記第２の複数の突起（１６）の前記第２の孔（２０ｂ）のそれぞれは、第１の軸方向の閉じた空洞（１７ｂ）に接続されていることを特徴とする、請求項６から１１のいずれか１項に記載のミッドソール。
【請求項１５】
前記第１の複数の突起（１５）及び前記第２の複数の突起（１６）は、前記ボディ（１１）の下面（１４）に部分的にあり、具体的にはヒール領域（２１）及びフォアフット領域（２９）に限定されることを特徴とする、請求項１から１４のいずれか１項に記載のミッドソール。
【請求項１６】
突起（１５，１６）の先端は、解剖学的に輪郭が形成された曲面上に位置することを特徴とする、請求項１から１５のいずれか１項に記載のミッドソール。
【請求項１７】
前記第１及び第２の先端（１９ａ，１９ｂ）は、全て実質的に平坦な表面上に位置することを特徴とする、請求項１から請求項１５のいずれか１項に記載のミッドソール。
【請求項１８】
前記ボディ（１１）の厚さは、実質的に一定であることを特徴とする、請求項１から１７のいずれか１項に記載のミッドソール。
【請求項１９】
前記ボディ（１１）の厚さは、解剖学的に可変であることを特徴とする、請求項１から１８のいずれか１項に記載のミッドソール。
【請求項２０】
前記ミッドソールは、弾性の特徴を有し、好ましくは（０．１５〜１．２０）ｇ／ｃｍ３の間に含まれる密度を有し、好ましくはショアＡ硬さで（１５〜６０）の間に含まれる硬度を有する、例えばＳＢＳ（スチレン−ブタジエン−スチレン）ゴム、ＮＲゴム（天然ゴム）のようなゴム、並びにＥＶＡ（エチレン酢酸ビニル）、ＴＰＵ（熱可塑性ポリウレタン）、及び二成分（ポリオール−イソシアネート）発泡ポリウレタンの材料を使用することによって提供されることを特徴とする、請求項１から１９のいずれか１項に記載のミッドソール。
【手続補正２】
【補正対象書類名】明細書
【補正対象項目名】００２２
【補正方法】変更
【補正の内容】
【００２２】
ボディ１１の厚さは実質的に一定である。
【手続補正３】
【補正対象書類名】明細書
【補正対象項目名】００２９
【補正方法】変更
【補正の内容】
【００２９】
第１の複数の突起１５の第１の孔１８ａのそれぞれは、第１の軸方向の空洞１７ａに接続され、第１の軸方向の空洞１７ａは第１の複数の突起１５のそれぞれの第１の先端１９において第２の孔２０ｂで終端している。
【手続補正４】
【補正対象書類名】明細書
【補正対象項目名】００３２
【補正方法】変更
【補正の内容】
【００３２】
第１の孔１８ａ，１８ｂはいずれも可変の直径を有し、対応する第１の突起１５又は第２の突起１６が配置されるミッドソール１０の所望の範囲に相関して、好ましくは１〜１０ｍｍの間に含まれる。有利には、より大きな直径の第１の孔１８ａを有し、下面１４に対してより突出が大きい第１の突起１５が、フォアフット領域２９の中央の領域においてヒール領域２１の中央の領域に配置される。従って、有利には、第１及び第２の突起１５，１６の第１及び第２の先端１９ａ，１９ｂは、理想的に解剖学的に輪郭が形成された曲面上に位置する。